(57)【要約】【課題】複数系統（複数チャンネル）の映像を、１台の記録装置で１個（１枚）の記録媒体上に同時に記録できるようにする。【解決手段】一方の系統の映像（画像）ＶＬが、画面３全体中の左側領域部分に配置され、他方の系統の映像（画像）ＶＲが、画面３全体中の右側領域部分に配置されるように、２系統の映像を合成し、１チャンネルの映像信号として記録媒体上に記録する。音声については、映像ＶＬに対応する音声信号を左チャンネルの音声信号として、映像ＶＲに対応する音声信号を右チャンネルの音声信号として、映像合成後の映像信号とともに記録し、あるいは、ユーザによって選択された方の系統の音声信号を、映像合成後の映像信号とともに記録する。【選択図】図２
2005065094.tif 000002
【特許請求の範囲】
【請求項１】
複数系統の映像信号を、各系統の映像を１画面内に合成して、１チャンネルの映像信号として記録媒体上に記録する映像記録方法。
【請求項２】
請求項１の映像記録方法において、
前記複数系統中の２系統の映像信号に対応する２系統の音声信号を、左チャンネルおよび右チャンネルの音声信号として、前記１チャンネルの映像信号とともに記録媒体上に記録する映像記録方法。
【請求項３】
請求項１の映像記録方法において、
前記複数系統中のユーザによって選択された系統の映像信号に対応する音声信号を、前記１チャンネルの映像信号とともに記録媒体上に記録する映像記録方法。
【請求項４】
複数系統の映像信号を受信できる入力手段と、
この入力手段によって得られた複数系統の映像信号を、各系統の映像を１画面内に合成して、１チャンネルの映像信号として出力する映像合成手段と、
この映像合成手段からの映像信号を記録媒体上に記録する記録手段と、
を備える映像記録装置。
【請求項５】
請求項４の映像記録装置において、
前記複数系統中の２系統の映像信号に対応する２系統の音声信号を、左チャンネルおよび右チャンネルの音声信号として、前記映像合成手段からの映像信号とともに記録媒体上に記録する処理手段を備える映像記録装置。
【請求項６】
請求項４の映像記録装置において、
前記複数系統中のユーザによって選択された系統の映像信号に対応する音声信号を、前記映像合成手段からの映像信号とともに記録媒体上に記録する処理手段を備える映像記録装置。
【発明の詳細な説明】
【技術分野】
【０００１】
この発明は、テレビ放送の映像や、各種の映像再生装置から得られる映像を、記録媒体上に記録する方法および装置に関する。
【背景技術】
【０００２】
２画面テレビまたは多画面テレビとして知られているように、２チャンネルまたは多チャンネルのテレビ放送を同時に受信し、ディスプレイ画面上に２チャンネルまたは多チャンネルの映像を同時に表示するテレビ受信機が考えられている。
【０００３】
また、このような２画面テレビまたは多画面テレビにつき、特許文献１（特許第３３９３４８０号公報）には、複数チャンネルの映像のうちのいずれか１つに対応する音声を出力させるとともに、音声が出力されている、視聴者が実際に見ている方の映像が、放送の終了などによって無信号となったときにのみ、いわゆるオートシャットオフによって受信機の電源をオフにすることが示されている。
【特許文献１】特許第３３９３４８０号公報
【発明の開示】
【発明が解決しようとする課題】
【０００４】
しかしながら、このように複数チャンネルの映像をリアルタイムに視聴する場合には、複数チャンネルの映像を同時に受信できる手段を備えるだけでよいが、複数チャンネルの映像を同時に記録媒体上に記録し、あとで再生して視聴する場合には、複数台の記録装置と、この複数台の記録装置のそれぞれに設けられ、または装着される複数個（複数枚）の記録媒体とを必要とする。
【０００５】
しかし、複数台の記録装置を設置することは、視聴者にとって経済的な負担が大きく、しかも、複数台の記録装置を受信機と接続し、受信機で受信された複数チャンネルの映像が複数台の記録装置で記録されるように操作するのは、視聴者にとって面倒で手間がかかる。
【０００６】
そのため、記録したい番組が同じ時間帯に重なった場合、視聴者は、そのうちの１つの番組のみを記録するしかない、ということが多い。
【０００７】
そこで、この発明は、複数系統（複数チャンネル）の映像を、１台の記録装置で１個（１枚）の記録媒体上に同時に記録することができるようにしたものである。
【課題を解決するための手段】
【０００８】
この発明の映像記録方法は、
複数系統の映像信号を、各系統の映像を１画面内に合成して、１チャンネルの映像信号として記録媒体上に記録するものである。
【０００９】
この方法によれば、複数系統の映像を、１台の記録装置で１個（１枚）の記録媒体上に同時に記録することができる。しかも、複数系統（複数画面）分、例えば２系統（２画面）分の映像を記録するにもかかわらず、記録に要する容量は１系統（１画面）分でよく、記録媒体の記録可能容量を事実上増加させることができる。
【００１０】
この場合、映像信号に付加された音声信号については、複数系統中の２系統の映像信号に対応する２系統の音声信号を、左チャンネルおよび右チャンネルの音声信号として、上記１チャンネルの映像信号とともに記録媒体上に記録し、または、複数系統中のユーザによって選択された系統の映像信号に対応する音声信号を、上記１チャンネルの映像信号とともに記録媒体上に記録することができる。
【発明の効果】
【００１１】
以上のように、この発明によれば、複数系統の映像を１台の記録装置で１個（１枚）の記録媒体上に同時に記録することができ、放送時間帯が重なる複数の番組を１台の記録装置で１個（１枚）の記録媒体上に容易に記録することができる。
【００１２】
また、記録に要する容量は１系統（１画面）分でよく、記録媒体の記録可能容量を事実上増加させることができ、既存の複数台の映像再生装置で再生された複数系統の映像を、この発明の方法で編集する場合には、保存用の記録メディアの必要量を大幅に低減することができる。
【００１３】
さらに、記録媒体上に記録される映像は、内容的には複数の内容を含むが、映像信号としては１チャンネルの信号で、通常の映像信号と変わらないので、既存の映像再生装置でそのまま再生することができ、この発明の映像記録装置は、既存の映像再生装置との間で１００％の互換性を有するものとなる。
【発明を実施するための最良の形態】
【００１４】
〔映像記録装置および映像記録方法の一実施形態〕
図１は、この発明の映像記録装置の一例を示し、再生機能を備える映像記録再生装置の場合である。
【００１５】
この例の映像記録再生装置１０は、テレビチューナ１１を内蔵し、外部入力端子１２、映像出力端子１３および音声出力端子１４を備えるものである。
【００１６】
テレビアンテナ３１で受信されたテレビ放送信号は、テレビチューナ１１で選局され、テレビチューナ１１から、一方の系統の映像信号Ｖｉｎ１および音声信号Ａｉｎ１が得られる。また、外部機器３２としての映像再生装置から得られた映像信号および音声信号が、他方の系統の映像信号Ｖｉｎ２および音声信号Ａｉｎ２として、外部入力端子１２を通じて映像記録再生装置１０に入力される。
【００１７】
映像信号としては、コンポジット映像信号とセパレート映像信号とがあり、例えば、テレビチューナ１１および外部機器３２からは、映像信号Ｖｉｎ１およびＶｉｎ２として、それぞれコンポジット映像信号とセパレート映像信号とが得られ、両者は区別して処理されるが、以下では、両者を含めて映像信号とする。
【００１８】
映像記録再生装置１０では、映像合成処理部１６で、上記の２系統の映像信号Ｖｉｎ１およびＶｉｎ２が、各系統の映像（画像）が１画面内に合成されるように、処理される。
【００１９】
具体的に、映像合成処理部１６では、映像信号Ｖｉｎ１およびＶｉｎ２が、それぞれデジタルデータに変換され、その変換後の２系統の映像データが、画像メモリ１７に書き込まれ、画像メモリ１７から読み出されることによって、図２に示すように、一方の系統の映像（画像）ＶＬが、画面３全体中の左側領域部分に配置され、他方の系統の映像（画像）ＶＲが、画面３全体中の右側領域部分に配置されるように、映像が合成される。
【００２０】
したがって、画像メモリ１７から読み出されて、映像合成処理部１６から出力される映像データＶｒは、映像内容としては２つの映像内容を含むが、映像信号としては１チャンネルの信号である。
【００２１】
一方、音声処理部１８で、上記の２系統の音声信号Ａｉｎ１およびＡｉｎ２が処理される。具体的に、この例では、ユーザは、操作部２４での操作によって、音声につき、モード１とモード２のいずれかを選択することができ、音声処理部１８では、コントローラ２３の制御によって、ユーザの選択したモードに応じた処理が実行される。
【００２２】
モード１は、図３に示すように、一方の系統の音声信号Ａｉｎ１が、左チャンネルの音声信号ＡＬまたは右チャンネルの音声信号ＡＲとして記録され、他方の系統の音声信号Ａｉｎ２が、逆に右チャンネルの音声信号ＡＲまたは左チャンネルの音声信号ＡＬとして記録されるモードである。
【００２３】
このモード１が選択された場合には、音声処理部１８では、音声信号Ａｉｎ１およびＡｉｎ２が、それぞれデジタルデータに変換され、その変換後の２系統の音声データが、左チャンネルの音声信号ＡＬおよび右チャンネルの音声信号ＡＲとされる。
【００２４】
この場合、音声信号Ａｉｎ１が、左信号Ｌ１と右信号Ｒ１からなるステレオ信号である場合には、その左信号Ｌ１と右信号Ｒ１が合成されてモノラル信号とされ、音声信号Ａｉｎ２が、左信号Ｌ２と右信号Ｒ２からなるステレオ信号である場合には、その左信号Ｌ２と右信号Ｒ２が合成されてモノラル信号とされる。
【００２５】
また、再生時、図２につき後述するように、映像の表示位置に近い位置で、その映像に対応する音声が出力されるように、上記の映像合成において画面３全体中の左側領域部分に配置される映像ＶＬに対応する音声が左チャンネルとされ、画面３全体中の右側領域部分に配置される映像ＶＲに対応する音声が右チャンネルとされるように構成することが望ましい。
【００２６】
すなわち、例えば、映像信号Ｖｉｎ１が映像ＶＬとして左側領域部分に配置され、映像信号Ｖｉｎ２が映像ＶＲとして右側領域部分に配置される場合には、映像信号Ｖｉｎ１に対応する音声信号Ａｉｎ１が左チャンネルの音声信号ＡＬとされ、映像信号Ｖｉｎ２に対応する音声信号Ａｉｎ２が右チャンネルの音声信号ＡＲとされるように構成する。
【００２７】
モード１では、ユーザは、再生時、後述のように、いずれかの系統の音声を選択して聴くことができるとともに、両方の系統の音声を聞くこともできる。
【００２８】
モード２は、図４に示すように、２系統の音声信号Ａｉｎ１およびＡｉｎ２のうちの、ユーザが操作部２４での操作によって選択した系統の音声信号が、左チャンネルの音声信号ＡＬおよび右チャンネルの音声信号ＡＲとして記録されるモードである。
【００２９】
このモード２が選択された場合には、音声処理部１８では、コントローラ２３の制御によって、ユーザが選択した系統の音声信号のみが、デジタルデータに変換され、その変換後の音声データが、左チャンネルの音声信号ＡＬおよび右チャンネルの音声信号ＡＲとされる。
【００３０】
この場合、選択された系統の音声信号が、左信号Ｌ１またはＬ２と右信号Ｒ１またはＲ２からなるステレオ信号である場合には、その左信号Ｌ１またはＬ２が左チャンネルの音声信号ＡＬとされ、右信号Ｒ１またはＲ２が右チャンネルの音声信号ＡＲとされる。
【００３１】
また、選択された系統の音声信号がモノラル信号である場合には、その同一のモノラル信号が左チャンネルの音声信号ＡＬおよび右チャンネルの音声信号ＡＲとされる。
【００３２】
モード２では、ユーザは、選択した系統の音声信号がステレオ信号である場合、再生時、ステレオ音声を聴くことができる。
【００３３】
映像記録再生装置１０では、記録処理部１９で、映像合成処理部１６から出力された映像合成後の映像データＶｒと、音声処理部１８から出力された左右チャンネルの音声信号ＡＬ，ＡＲからなる音声データＡｒとが、所定フォーマットのデータとされて、記録媒体、この例ではハードディスクドライブ２２によって駆動されるハードディスク２１に記録される。この場合、記録処理部１９では、映像データＶｒおよび音声データＡｒを圧縮することができる。
【００３４】
コントローラ２３は、映像記録再生装置１０の各部を制御するものであり、操作部２４は、ユーザが上述した選択操作などの操作を行うものであり、表示部２５は、映像記録再生装置１０の操作状態や動作状態を表示するものである。ただし、映像記録再生装置１０の操作状態や動作状態は、ＯＳＤによって映像表示用のディスプレイ３３上に表示されるように構成してもよい。
【００３５】
再生時には、ハードディスク２１から、上記のように記録された映像データおよび音声データが読み出され、再生処理部２９から、映像データＶｐと音声データＡｐに分離されて得られる。
【００３６】
この再生処理部２９で分離された映像データＶｐは、映像処理部２７で、記録時に映像データＶｒが記録処理部１９で圧縮された場合には伸長されて、映像処理部２７から、記録時の映像データＶｒと同じ、映像合成された映像データが得られる。
【００３７】
この例では、この映像合成された映像データが、映像処理部２７の終段部でアナログ信号に変換され、その変換後の映像信号が、映像出力端子１３を通じてディスプレイ３３に供給されて、図２に示すように、ディスプレイ３３上に、２系統の映像ＶＬおよびＶＲが同時に表示される。
【００３８】
なお、ディスプレイ３３側に映像用のデジタル／アナログ変換器を有する場合には、映像処理部２７で得られる映像データが、デジタルデータのまま、映像出力端子１３を通じてディスプレイ３３に供給される。
【００３９】
一方、再生処理部２９で分離された音声データＡｐは、音声処理部２８で、記録時に音声データＡｒが記録処理部１９で圧縮された場合には伸長されて、音声処理部２８から、記録時の音声データＡｒと同じ、左右チャンネルの音声データが得られる。
【００４０】
この例では、この左右チャンネルの音声データが、音声処理部２８の終段部でアナログ信号に変換され、その変換後の左右チャンネルの音声信号が、音声出力端子１４を通じて音声出力装置３４に供給され、音声出力装置３４において、左チャンネルの音声信号が増幅回路３５Ｌで増幅されて左スピーカ３６Ｌに供給され、右チャンネルの音声信号が増幅回路３５Ｒで増幅されて右スピーカ３６Ｒに供給されて、左スピーカ３６Ｌから左チャンネルの音声が出力され、右スピーカ３６Ｒから右チャンネルの音声が出力される。
【００４１】
なお、音声出力装置３４側に音声用のデジタル／アナログ変換器を有する場合には、音声処理部２８で得られる左右チャンネルの音声データが、デジタルデータのまま、音声出力端子１４を通じて音声出力装置３４に供給される。
【００４２】
モード１で音声が記録された場合には、音声処理部２８では、左右チャンネルの音声信号として記録時の２系統の音声信号が得られるので、ユーザは、操作部２４での操作によって、左スピーカ３６Ｌおよび右スピーカ３６Ｒから、２系統の音声を出力させ、あるいは、左スピーカ３６Ｌまたは右スピーカ３６Ｒから、希望する方の系統の音声のみを出力させることができる。
【００４３】
この場合、上述したように記録時、画面３全体中の左側領域部分に配置される映像ＶＬに対応する音声が左チャンネルとされ、画面３全体中の右側領域部分に配置される映像ＶＲに対応する音声が右チャンネルとされる場合には、映像ＶＬに対応する音声が左スピーカ３６Ｌから出力され、映像ＶＲに対応する音声が右スピーカ３６Ｒから出力されて、映像の表示位置に近い位置で、その映像に対応する音声が出力されるので、好ましい。
【００４４】
〔他の実施形態〕
上述した実施形態は、２系統の映像信号および音声信号の信号源が、１つは内蔵のテレビチューナ１１、もう１つは外部機器３２である場合であるが、２系統とも内蔵チューナまたは外部機器であるなど、信号源の形態は、どのようなものでもよい。
【００４５】
また、この発明は、２系統に限らず、３系統以上の映像を合成して記録する場合にも適用することができる。この場合、音声については、３系統以上中のユーザによって選択された２系統の音声信号を、上述したモード１のように左チャンネルおよび右チャンネルの音声信号として記録し、または、３系統以上中のユーザによって選択された１系統の音声信号を、上述したモード２のように左チャンネルおよび右チャンネルの音声信号として記録する。
【００４６】
また、上述した実施形態は、記録媒体として内蔵のハードディスク２１を用いる場合であるが、記録媒体としてリムーバブルディスクなどの他の記録メディアを用いることもできる。
【図面の簡単な説明】
【００４７】
【図１】この発明の映像記録装置の一例を示す図である。
【図２】この発明の映像記録方法における映像合成の一例を示す図である。
【図３】音声の記録方法の一例を示す図である。
【図４】音声の記録方法の他の例を示す図である。
【符号の説明】
【００４８】
主要部については図中に全て記述したので、ここでは省略する。
【図１】
2005065094.tif 000003
【図２】
2005065094.tif 000004
【図３】
2005065094.tif 000005
【図４】
2005065094.tif 000006